(57)【特許請求の範囲】
【請求項１】
撮影手段と、この撮影手段によって撮影された画像の各画素を多値の輝度データで記憶する画像メモリと、この画像メモリに記憶された輝度データから変換された多値の印刷データに基づいて多階調で画像を印刷する印刷手段とを備えたプリンタ内蔵カメラ装置において、
少なくとも前記画像メモリを含めて前記装置を初期設定するリセット手段と、
このリセット手段によって初期設定が行われるときに、前記画像メモリに記憶される全画素の輝度データの値を、前記印刷手段では記録紙に画像が形成されない印刷データの最小階調の値に対応する最大輝度の値に書き換えるデータ書換手段と、
を備えることを特徴とするプリンタ内蔵カメラ装置。
【請求項２】
撮影手段と、この撮影手段によって撮影された画像の各画素を多値の輝度データで記憶する画像メモリと、この画像メモリに記憶された輝度データから変換された多値の印刷データに基づいて多階調で画像を印刷する印刷手段とを備えたプリンタ内蔵カメラ装置において、
少なくとも前記画像メモリを含めて前記装置を初期設定するリセット手段と、
このリセット手段によって初期設定が行われるときに、前記画像メモリに記憶される全画素の輝度データの値を、最小輝度の値に書き換えるデータ書換手段と、
前記リセット手段による初期設定に伴なって前記画像メモリが書き換えられた後に、前記印刷手段に対して印刷の指示があったときに、前記画像メモリに記憶される全画素の輝度データの値を判断する判断手段と、
前記判断手段によって前記画像メモリに記憶される輝度データの全てが最小輝度の値であると判断されたときに、前記画像メモリに記憶される全画素の輝度データの値を、前記印刷手段では記録紙に画像が形成されない印刷データの最小階調の値に対応する最大輝度の値に書き換える制御手段と、
を備えることを特徴とするプリンタ内蔵カメラ装置。
【請求項３】
撮影手段と、この撮影手段によって撮影された画像の各画素を多値の輝度データで記憶する画像メモリと、この画像メモリに記憶された輝度データから変換された多値の印刷データに基づいて多階調で画像を印刷する印刷手段とを備えたプリンタ内蔵カメラ装置において、
前記画像メモリに記憶された全画素の輝度データの平均値を求める演算手段と、
この演算手段によって求めた輝度データの平均値が所定の閾値より小さいか否かを判断する判断手段と、
この判断手段によって前記平均値が前記閾値より小さいと判断されたときに、前記画像メモリに記憶される全画素の輝度データの値を、前記印刷手段では記録紙に画像が形成されない印刷データの最小階調の値に対応する最大輝度の値に書き換えるデータ書換手段と、
を備えることを特徴とするプリンタ内蔵カメラ装置。
【請求項４】
更に、前記判断手段によって前記輝度データの平均値が所定の閾値より小さいと判断されたときに、前記印刷手段の印刷動作を禁止する制御手段を備えることを特徴とする請求項３記載のプリンタ内蔵カメラ装置。
【請求項５】
更に、前記制御手段によって前記印刷手段の印刷動作が禁止されるときに、そのことを報知する報知手段を備えることを特徴とする請求項４記載のプリンタ内蔵カメラ装置。
【発明の詳細な説明】
【０００１】
【発明の属する技術分野】
本発明は、画像を撮影する撮影手段と、この撮影手段によって撮影された画像を印刷する印刷手段とを備えたプリンタ内蔵カメラ装置に関する。
【０００２】
【従来の技術】
カメラ部とプリンタ部が同一の筐体に設けられ、カメラ部で撮影された画像を、サーマルヘッドを備えるプリンタ部によって記録紙にモノクロ印刷するプリンタ内蔵カメラ装置が実用化されている。
【０００３】
このプリンタ内蔵カメラ装置では、動作モードを撮影モードにしてカメラ部で撮影を行い、その後に、動作モードを印刷モードに切り換えて撮影した画像を内蔵のプリンタ部で印刷している。
【０００４】
【発明が解決しようとする課題】
前述のプリンタ内蔵カメラ装置では、モノクロ印刷用のプリンタを内蔵するため、画像メモリにはカメラ部で撮影された画像が多値の輝度データにより記憶され、その輝度データが印刷用の階調データに変換されて印刷が行われている。
【０００５】
この装置において、リセット操作により画像メモリを含めて装置の初期設定が行われると、画像メモリには最小輝度値の輝度データが書き込まれる。
【０００６】
このリセット処理の後に印刷の指示があっても、通常は画像メモリ内の画像の有無を表す画像管理フラグもリセットされているため、このフラグを参照することで印刷すべき画像が画像メモリに存在していないと判断されて印刷動作が行われることはないが、画像管理フラグの値が不定になる虞があり、その場合には画像メモリ内に画像が存在しないにもかかわらず印刷が実行されてしまうことがある。
【０００７】
印刷が実行されると、リセット処理によって画像メモリには最小輝度値の輝度データが書き込まれているため、それが印刷用の階調データに変換されると、その印刷用のデータは最大階調値となり、記録紙一面にベタ黒の印刷が行われることになる。
【０００８】
このような印刷が行われると、前記カメラ装置は電池駆動される携帯電子機器であるため、駆動電池の消耗が激しくなり、また印刷デューティが大きいため、サーマルヘッドの寿命にも悪い影響がある。
【０００９】
また、前記プリンタ内蔵カメラ装置には、撮影した画像を確認できる表示装置を備えていない簡易なものが存在する。
【００１０】
このような表示装置を備えていないプリンタ内蔵カメラ装置では、何らかの原因で撮影に失敗し或いは不用意なシャッター操作によって全体が極めて暗い画像を取り込んだ場合に、その撮影した画像の状態を印刷前に確認する方法がなく、その画像を内蔵プリンタで印刷するとベタ黒の印刷が行われることになる。
【００１１】
この場合にも、電池の消耗が大きく、サーマルヘッドの寿命が短くなるなどの問題が生じる。また、失敗した画像を印刷することは無駄でもある。
【００１２】
本発明は、画像メモリのリセット処理が行われた後、あるいは印刷には不適格な暗い画像が撮影された場合に、印刷の指示があっても、内蔵プリンタのサーマルヘッドに過大な負荷を加えたり、駆動電池を激しく消耗させるなどの印刷を行うことのないプリンタ内蔵カメラ装置を提供することを目的とする。
【００１３】
【課題を解決するための手段】
請求項１に係わる発明は、撮影手段と、この撮影手段によって撮影された画像の各画素を多値の輝度データで記憶する画像メモリと、この画像メモリに記憶された輝度データから変換された多値の印刷データに基づいて多階調で画像を印刷する印刷手段とを備えたプリンタ内蔵カメラ装置において、少なくとも前記画像メモリを含めて前記装置を初期設定するリセット手段と、このリセット手段によって初期設定が行われるときに、前記画像メモリに記憶される全画素の輝度データの値を、前記印刷手段によって記録紙に画像が形成されない最小階調の値に対応する最大輝度の値に書き換えるデータ書換手段とを備えて構成したものである。
【００１４】
このプリンタ内蔵カメラ装置によれば、リセット時に画像メモリに記憶される全画素の輝度データの値が最大輝度の値に書き換えられる。この最大輝度の値は、印刷データの最小階調の値に対応し、この最小階調の値で仮に記録紙に印刷が行われても画像が形成されないため、従来の場合のように、装置の駆動電池が激しく消耗したり、印刷手段を構成するサーマルヘッドに過大な負担がかかったりすることがない。
【００１５】
また、請求項２に係る発明は、撮影手段と、この撮影手段によって撮影された画像の各画素を多値の輝度データで記憶する画像メモリと、この画像メモリに記憶された輝度データから変換された多値の印刷データに基づいて多階調で画像を印刷する印刷手段とを備えたプリンタ内蔵カメラ装置において、少なくとも前記画像メモリを含めて前記装置を初期設定するリセット手段と、このリセット手段によって初期設定が行われるときに、前記画像メモリに記憶される全画素の輝度データの値を、最小輝度の値に書き換えるデータ書換手段と、前記リセット手段による初期設定に伴なって前記画像メモリが書き換えられた後に、前記印刷手段に対して印刷の指示があったときに、前記画像メモリに記憶される全画素の輝度データの値を判断する判断手段と、前記判断手段によって前記画像メモリに記憶される輝度データの全てが最小輝度の値であると判断されたときに、前記画像メモリに記憶される全画素の輝度データの値を、前記印刷手段では記録紙に画像が形成されない印刷データの最小階調の値に対応する最大輝度の値に書き換える制御手段とを備えて構成することを特徴とする。
【００１６】
このプリンタ内蔵カメラ装置によれば、リセット時に画像メモリに記憶される全画素の輝度データの値が最小輝度の値に書き換えられ、その後に、印刷の指示があると、前記画像メモリの輝度データの値が判断され、全ての輝度データが最小輝度の値であると判断されたときに最大輝度の値に書き換えられるため、従来の場合のように、装置の駆動電池が激しく消耗したり、印刷手段を構成するサーマルヘッドに過大な負担がかかったりすることがない。
【００１７】
また、請求項３に係る発明は、撮影手段と、この撮影手段によって撮影された画像の各画素を多値の輝度データで記憶する画像メモリと、この画像メモリに記憶された輝度データから変換された多値の印刷データに基づいて多階調で画像を印刷する印刷手段とを備えたプリンタ内蔵カメラ装置において、前記画像メモリに記憶された全画素の輝度データの平均値を求める演算手段と、この演算手段によって求めた輝度データの平均値が所定の閾値より小さいか否かを判断する判断手段と、この判断手段によって前記平均値が前記閾値より小さいと判断されたときに、前記画像メモリに記憶される全画素の輝度データの値を、前記印刷手段によって記録紙に画像が形成されない印刷データの最小階調の値に対応する最大輝度の値に書き換えるデータ書換手段とを備えることを特徴とする。
【００１８】
このプリンタ内蔵カメラ装置によれば、画像メモリの輝度データの平均値が所定の閾値より小さい場合に、その画像メモリに記憶されている画像は印刷に適さない暗い画像であるとして、全画素の輝度データの値が最大輝度の値に書き換えられるため、仮に画像メモリのデータが印刷されたとしても、記録紙には画像が形成されず、従来の場合のように、装置の駆動電池が激しく消耗したり、印刷手段を構成するサーマルヘッドに過大な負担がかかったりすることがない。
【００１９】
また、前記プリンタ内蔵カメラ装置において、前記判断手段によって前記輝度データの平均値が所定の閾値より小さいと判断されたときに、前記印刷手段の印刷動作を禁止し、あるいはそのことを報知する報知手段を備えて構成してもよい。
【００２０】
これにより、無駄な印刷を防ぐことができる。
【００２１】
【発明の実施の形態】
以下図面により本発明の実施の形態について説明する。
【００２２】
図１は本発明の実施形態に係わるプリンタ内蔵カメラ装置の外観斜視図である。
【００２３】
このプリンタ内蔵カメラ装置１は、デジタルカメラ部とプリンタ部とを備え、ユーザが片手で容易に把持できる程度の小型サイズの箱型に構成される。
【００２４】
装置の正面の上部には、撮影レンズ２、ファインダ３、フラッシュ４が設けられる。また、正面の中央にカメラ動作モードで撮影の指示操作を行うシャッターキー５が設けられる。
【００２５】
また、装置の正面には、電源をオン・オフ操作する電源キー６、フラッシュを作動するためのフラッシュキー７、カメラ動作モードとプリンタ動作モードを設定する動作モードキー８、カメラ撮影時に２画面分の記憶領域を有する画像メモリのいずれの領域に画像を記憶するかを指定し、また印刷時にいずれの領域に記憶されている画像を印刷するかを指定する画像メモリの領域選択キー９が設けられる。
【００２６】
この装置では、操作キー数を極力少なくしているため、複数の操作キーの同時操作によって種々の設定を可能にしている。例えば、内蔵プリンタの印刷濃度は、電源キー６と動作モードキー８の同時操作で１段階濃くなり、電源キー６とフラッシュキー７の同時操作で１段階薄くなる。また、電源キー６、動作モードキー８及び画像メモリの領域選択キー９の同時操作によって装置のリセットが行われる等である。
【００２７】
なお、リセット操作が行われると、メモリなどの初期設定とともに、印刷濃度は標準値、フラッシュはオートモード、ブザーはオン、動作モードはプリンタ動作モードの各デフォルトに設定される。
【００２８】
また、装置の正面には、前記キーに対応してインジケータ（ＬＥＤ）１０ａ〜１０ｄが設けられている。さらに、所定の条件で警報音を発生するブザー１１も設けられている。
【００２９】
装置本体の側面には、内蔵プリンタに記録紙を給排紙する給排紙口１２が設けられる。
【００３０】
図２は内蔵プリンタの構成の説明図である。
【００３１】
図２において、内蔵プリンタ１３の紙搬送路１４の端部には記録紙Ｐの給排紙口１２が設けられ、紙搬送路中には駆動ローラと従動ローラからなる一対の搬送ローラ１５、１６を備える紙搬送機構と、プラテンローラ１７やサーマルヘッド１８等からなる印刷機構が設けられている。また、これらの紙搬送機構及び印刷機構の前後には反射型の光センサからなる紙センサ１９、２０が設けられている。
【００３２】
前記一対の搬送ローラ１５、１６はステップモータ２１を駆動源とする駆動伝達機構２２を介して正逆に回転駆動されて記録紙Ｐを紙搬送路１４を往復移動させる。また、サーマルヘッド１８も前記ステップモータ２１を駆動源としヘッド移動機構２３によってプラテンローラ１７に対して圧接し開離する。すなわち、前記ステップモータ２１の逆転時にはサーマルヘッド１８はプラテンローラ１７から開離し、前記ステップモータ２１の正転時にはサーマルヘッド１８はプラテンローラ１７に対して圧接するように構成されている。
【００３３】
図２は印刷開始にあたって記録紙Ｐがプリンタ内に搬入される状態を示している。この内蔵プリンタでは、給排紙口１２から記録紙Ｐが挿入されると、紙センサ１９が記録紙Ｐの先端を検知し、ステップモータ２１が逆転駆動されて搬送ローラ１５、１６がＸ方向に駆動され記録紙Ｐが装置内に向けて搬入される。紙センサ２０が記録紙Ｐの先端を検知すると、ステップモータ２１が正転駆動されて搬送ローラ１５、１６がＹ方向に駆動され記録紙Ｐが装置外に向けて搬出される。このときサーマルヘッド１８はプラテンローラ１７に対して圧接され、記録紙Ｐへの印刷が実行される。印刷が終われば、記録紙Ｐは給排紙口１２から排出され、ステップモータ２１が逆転駆動されてサーマルヘッド１８はプラテンローラ１７から開離する。
【００３４】
図３はプリンタ内蔵カメラ装置の電子回路の構成を示すブロック図である。
【００３５】
ＣＣＤ３０は、撮影レンズ２によって結像される静止画像をアナログ電気信号に変換し出力する。
【００３６】
信号処理回路３１は、ＣＣＤ３０から出力されるアナログ信号を８ビットのデジタル信号に変換する回路である。この装置では、内蔵プリンタ１３によってモノクロの感熱記録紙Ｐにモノクロ印刷が行われるため、輝度データのみが信号処理回路３１から出力される。この信号処理回路３１で処理される輝度データは２５６階調のデータである。従って、輝度値の範囲は最小値０から最大値２５５までを取り得ることになる。
【００３７】
動作モードキー８によりカメラ動作モードが設定された状態でシャッタキー５が操作されると、画像メモリ３２に、ＣＣＤ３０から取り込まれ信号処理回路３１で処理された１画面の各画素の輝度データが記憶される。この画像メモリ３２は第１の領域と第２の領域を有し、夫々の領域に静止画像が１画面づつ記憶可能に構成されている。画像メモリ３２の領域の選択は領域選択キー９の操作で行われ、撮影動作時には選択された領域に画像データが書き込まれ、印刷動作時には選択された領域から印刷のために画像データが読み出される。
【００３８】
ＲＡＭ３３は、ＣＰＵ３４による撮影，画像の記憶，印刷の制御に応じて、各種のフラグや印刷データ等を管理するためのメモリであり、画像メモリ３２に記憶される２５６階調で表される画像データ（輝度データ）が１ライン分づつ１２８階調で表される印刷用の階調データに変換処理されて記憶される印刷バッファ３３ａ、画像メモリ３２内の画像データの有無を判断する画像管理フラグＦなどが備えられる。
【００３９】
動作モードキー８によりプリンタ動作モードが設定された状態で、記録紙Ｐが給排紙口１２から挿入されることで印刷が実行される。ＣＰＵ３４は、領域選択キー９で選択された画像データメモリ３２の領域に記憶された画像データ、すなわち１画面分の各画素の２５６階調で表される輝度データを１ライン分づつ１２８階調の印刷用の階調データに変換して印刷バッファ３３ａに記憶する。この場合、画像メモリ３２内の輝度データの最小値０が印刷用の階調データの最大値１２７に対応し、輝度データの最大値２５５が印刷用の階調データの最小値０に対応するように、画像メモリ３２内の輝度データが印刷用の階調データに変換される。
【００４０】
そして、この１ラインの印刷用の階調データに基づいて１２８階調の各階調の印刷データが繰り返し作成されてサーマルヘッド１８に転送され１ラインの階調印刷が行われる。以下、画像データの全ラインについて繰り返される。
【００４１】
この場合、最大値２５５の輝度データに対応する印刷用の階調データの最小値０によって生成される１２８階調の各階調の印刷データは全て白データであり、サーマルヘッド１８に転送されてもそれを発熱駆動することはなく、記録紙Ｐに何等画像が形成されない。
【００４２】
ＣＰＵ３４は、ＲＯＭ３５に記憶された制御プログラムに基づいてデジタルカメラ部及びプリンタ部を制御する。
【００４３】
ＲＯＭ３５には、ＣＰＵ３４の動作させるための制御プログラムなどの他、種々の処理プログラムが記憶されている。
【００４４】
フラッシュ制御回路３６は、光量を調整してフラッシュ４を発光させるための制御回路である。
【００４５】
また、ＣＰＵ３４は、シャッターキー５、電源キー６、フラッシュキー７、動作モードキー８、画像メモリの領域選択キー９などが接続される。また、ブザー１１を鳴動するためのブザー駆動回路３７やＬＥＤ１０ａ〜１０ｄの駆動回路３８が接続される。
【００４６】
さらに、ＣＰＵ３４には、内蔵プリンタ１３が接続される。
【００４７】
内蔵プリンタ１３には、サーマルヘッド１８を駆動するヘッド駆動回路３９、ステップモータ２１を駆動するモータ駆動回路４０が設けられる。また、紙センサ１９、２０が設けられる。この内蔵プリンタ１３では、デジタルカメラ部で得られた撮影画像の画像データを１２８階調で印刷を行なう。
【００４８】
なお、図示しないが、カメラおよびプリンタは本装置の内蔵電池を電源として駆動される。
【００４９】
次に、本実施形態におけるプリンタ内蔵カメラ装置の種々の動作について説明する。
【００５０】
図４は装置のリセット処理のフローチャートを示す。
【００５１】
キー操作部の電源キー６、動作モードキー８及び画像メモリ３２の領域選択キー９が同時に操作されると、リセット処理が行われる。すなわち、印刷バッファ３３ａに階調０の印刷用の階調データが書き込まれる。また、その他の設定項目がデフォルト値に設定される。例えば、動作モードがプリントモード、印刷濃度が標準値、ブザーがＯＮモード、フラッシュがＡＵＴＯモードに初期設定される（ステップＳ１）。
【００５２】
また、画像メモリ３２の全画素の輝度データが最大輝度値２５５に書き換えられる（ステップＳ２）。
【００５３】
そして、画像メモリ３２内に印刷対象となる画像データが存在するか否かを表す画像管理フラグＦがリセットされる（ステップＳ３）。この画像管理フラグＦ２のリセット状態は画像メモリ３２内に印刷対象となる画像データが存在しないことを表すものであり、これにより画像メモリ３２内のデータの印刷が禁止される。
【００５４】
すなわち、印刷動作モードで印刷の指示があった場合には、画像管理フラグＦの状態が判断され、セット状態のときには画像メモリ３２内に印刷対象となる画像データが存在するものとして印刷が実行され、リセット状態のときには画像メモリ３２内に印刷対象となる画像データが存在しないものとして印刷が禁止される。
【００５５】
画像管理フラグＦがリセット状態のときには印刷は行われないが、何らかの原因により、画像管理フラグＦの値が不定になりセット状態になる虞がある。しかし、このような場合でも、ステップＳ２の処理により画像メモリ３２には最大輝度値２５５の輝度データが書き込まれているため、仮に、印刷が行われたとしても、最大輝度値の輝度データに基づいて変換される印刷用の階調データは最小階調のデータであり、その階調データに基づいて作成されサーマルヘッド１８に転送される印刷データは白データであり、サーマルヘッド１８が発熱駆動されることはない。
【００５６】
従って、リセット処理により画像メモリ３２に最小輝度値０の輝度データを書き込む従来の装置にあっては、画像管理フラグＦの値が不定になったときに、ベタ黒の印刷を行い、駆動電池の消耗やサーマルヘッドの損傷を生じる問題があったが、この実施形態の装置によれば、そのような問題の発生を防ぐことができる。
【００５７】
なお、前記装置では、リセットの後に、画像の撮影が行われると、シャッターキー５の操作により画像メモリ３２に書き込まれた最大値の輝度データを消去（最小値の０に書き換える）した上で、撮影された画像データの書き込みが実行される。そのときには、画像管理フラグＦがセットされるため、その画像データの印刷が可能になる。
【００５８】
次に、図５は装置のリセット処理の他の例に関するフローチャートを示す。
【００５９】
キー操作部の電源キー６、動作モードキー８及び画像メモリ３５の領域選択キー９が同時に操作されると、前記ステップＳ１と同様に、印刷バッファ３３ａに階調０の印刷用の階調データが書き込まれ、その他の設定項目がデフォルト値に設定される（ステップＴ１）。
【００６０】
そして、画像メモリ３２の全画素の輝度データが最小輝度値０に書き換えられる（ステップＴ２）。
【００６１】
図６は図５のようなリセット処理に続く印刷処理を示す。
【００６２】
画像メモリ３２の領域が指定されて印刷の指示があると、画像メモリ３２に記憶される全画素の輝度データが順に読み出され、その値が最小値０か判断される（ステップＵ１〜Ｕ３）。全画素の輝度データの値が最小値０であれば、画像メモリ３２の印刷が指定された領域に記憶される全画素の輝度データが最大輝度値２５５に書き換えられて（ステップＵ４）、印刷を行うことなく処理を終了する。ステップＵ２で最小の値でない輝度データが検出されれば、画像メモリ３２の画像データについて印刷が行われる（ステップＵ５）。
【００６３】
この印刷処理では、画像メモリ３２に記憶される全画素の輝度データの値が０かどうか判断され、すなわち、リセット処理等により画像メモリ３２の全データが最小輝度値に設定されているかが判断され、そうであれば、プリンタの印刷動作は行われないので、無意味な印刷を行うことはない。また、画像メモリ３２のの印刷が指定された領域に記憶される全画素の輝度データが最大輝度値２５５に書き換えられるので、次の印刷の指示があっても、その領域に記憶されている画像データの輝度は最大であるため、ステップＵ２、Ｕ５を経て印刷が実行されたとしても、サーマルヘッド１８が発熱駆動されることはない。ステップＵ４の処理の後に、その記憶領域に新たな画像が記憶されれば、その画像はステップＵ２、Ｕ５を経て正常に印刷される。
【００６４】
また、図７は本実施形態におけるプリンタ内蔵カメラ装置の印刷処理のフローチャートである。
【００６５】
印刷動作モードにおいて、印刷すべき画像メモリ３２の記憶領域が指定され、記録紙Ｐが内蔵プリンタの所定位置まで搬入されると、サーマルヘッド１８による印刷処理が実行される。
【００６６】
まず、画像管理フラグＦがセットされているか判断される（ステップＶ１）。画像管理フラグＦがリセット状態にあれば、印刷を実行することなく処理を終了する。
【００６７】
画像管理フラグＦがセットされていれば、印刷が指定された画像メモリ３２の記憶領域に記憶される全画素の輝度データの平均値が演算される（ステップＶ２）。
【００６８】
次に、演算により求められた輝度データの平均値が第１の閾値ａより小さいか、また第２の閾値ｂより大きいかが判断される（ステップＶ３、Ｖ４）。これら閾値ａ、ｂはＲＯＭ３５に予め記憶されている所定の値であり、本例では、画像データが輝度０〜２５５の値をとる２５６階調の輝度データとして表現されるものとすると、第１閾値ａは最小輝度値の近傍に設定され、例えば、輝度値１６に設定され、第２閾値ｂは最大輝度値の近傍に設定され、例えば、輝度値２４０に設定されている。
【００６９】
第１及び第２の閾値ａ、ｂとの比較の結果、画像メモリ３２に記憶される全輝度データの平均値が第１の閾値ａと第２の閾値ｂの間の値であるときには、正常な画像であるとしてプリンタによる印刷を実行する（ステップＶ５）。
【００７０】
一方、画像メモリ３２の指定領域の各画素の輝度データの平均値が第１の閾値ａより小さいとき、すなわち、極端に暗い画像のとき（ステップＶ３のＹＥＳ）、又は第２の閾値ｂより大きいとき、すなわち、極端に明るい画像のとき（ステップＶ４のＹＥＳ）には、画像メモリ３２の印刷が指定された記憶領域内の全画素の輝度データの値が最大値の２５５の値に書き換えられる（ステップＶ６）。
【００７１】
そして、画像管理フラグＦがリセットされ（ステップＶ７）、ブザーが所定時間だけ鳴動して印刷が禁止されることを報知し（ステップＶ８）、処理を終了する。
【００７２】
従って、このような印刷処理を行うプリンタ内蔵カメラ装置では、画像メモリ３２の各画素の輝度データの平均値が第１の閾値ａより小さいときや第２の閾値ｂより大きいときには、その画像は印刷には不適当であるとして、その画像の印刷を行うことなく終了するものであるため、輝度データの平均値が第１の閾値ａより小さい画像を記録紙Ｐにベタ黒印刷することが防止され、駆動電池の激しい消耗やサーマルヘッドの損傷を防止できる。また、前記平均値が第２の閾値ｂより大きな画像の印刷を行わないことで、無駄な印刷を防止できる。
【００７３】
更に、ステップＶ６で画像メモリ３２の全画素の輝度データの値が最大値に書き換えられることで、画像管理フラグＦが不定となって画像メモリ３２の内容が印刷されたとしても、最大輝度値の輝度データに基づいて変換される印刷用の階調データは最小階調のデータであり、その階調データに基づいて作成されサーマルヘッド１８に転送される印刷データは白データであるため、サーマルヘッド１８が発熱駆動されることはない。
【００７４】
【発明の効果】
以上述べたように、請求項１に係わる発明によれば、リセット時に画像メモリに記憶される全画素の輝度データの値が最大輝度の値に書き換えられるため、記録紙に印刷が行われても画像が形成されることがなく、従来装置の場合のように、装置の駆動電池が激しく消耗したり、印刷手段を構成するサーマルヘッドに過大な負担がかかったりすることがない。
【００７５】
また、請求項２に係る発明によれば、リセット時に画像メモリに記憶される全画素の輝度データの値が最小輝度の値に書き換えられ、その後に、印刷の指示があると、前記画像メモリの輝度データの値が判断され、全ての輝度データが最小輝度の値であると判断されたときに最大輝度の値に書き換えられるため、記録紙に印刷が行われても画像が形成されることがなく、従来装置の場合のように、装置の駆動電池が激しく消耗したり、印刷手段を構成するサーマルヘッドに過大な負担がかかったりすることがない。
【００７６】
また、請求項３に係る発明によれば、画像メモリの輝度データの平均値が所定の閾値より小さい場合に全画素の輝度データの値が最大輝度の値に書き換えられるため、仮に画像メモリのデータが印刷されたとしても、記録紙には画像が形成されず、従来装置の場合のように、装置の駆動電池が激しく消耗したり、印刷手段を構成するサーマルヘッドに過大な負担がかかったりすることがない。
【図面の簡単な説明】
【図１】本発明の実施形態に係わるプリンタ内蔵カメラ装置の外観斜視図。
【図２】前記プリンタ内蔵カメラ装置の内蔵プリンタの構成の説明図。
【図３】プリンタ内蔵カメラ装置の電子回路の構成を示すブロック図。
【図４】リセット処理のフローチャート。
【図５】他のリセット処理のフローチャート。
【図６】印刷処理のフローチャート。
【図７】他の印刷処理のフローチャート。
【符号の説明】
１  …プリンタ内蔵カメラ装置、
２  …撮影レンズ、
３  …ファインダ、
４  …フラッシュ、
５  …シャッタキー、
６  …電源キー、
７  …フラッシュキー、
８  …動作モードキー、
９  …領域選択キー、
１０ａ〜１０ｄ  …ＬＥＤ、
１１  …ブザー、
１２  …給排紙口、
１３  …内蔵プリンタ、
１４  …紙搬送路、
１５、１６  …搬送ローラ、
１７  …プラテンローラ、
１８  …サーマルヘッド、
１９、２０  …紙センサ、
２１  …ステップモータ、
２２  …駆動伝達機構、
２３  …ヘッド移動機構、
３０  …ＣＣＤ、
３１  …信号処理回路、
３２  …画像メモリ、
３３  …ＲＡＭ、
３３ａ  …印刷バッファ、
３４  …ＣＰＵ、
３５  …ＲＯＭ、
３６  …フラシュ制御回路、
３７  …ブザー駆動回路、
３８  …ＬＥＤ駆動回路、
３９  …ヘッド駆動回路、
４０  …モータ駆動回路、
Ｐ    …記録紙。
【図１】
0003861544.tif 000002
【図２】
0003861544.tif 000003
【図３】
0003861544.tif 000004
【図４】
0003861544.tif 000005
【図５】
0003861544.tif 000006
【図６】
0003861544.tif 000007
【図７】
0003861544.tif 000008